(57)【要約】【課題】  異なる拠点に設置された端末が、ネットワークの性能、品質、性質などの通信特性、および、通信プロトコルの違いを吸収しながら、広域網をあたかも閉域網として相互に通信する手段を提供する。【解決手段】  本発明の通信装置を設置した拠点間で、通信開始端末が、異なる拠点に設置された通信応答端末と通信する場合、通信開始端末が、通信応答端末との通信を要求すると、開始側通信装置が、通信応答端末ではないにも関わらず、通信開始端末と接続を確立することを特徴とする。以降、通信開始端末が通信応答端末に送信したデータは、開始側通信装置が受信する。開始側通信装置は、受信したデータを、複数の通信装置間リンクを使用して応答側通信装置に送信する。応答側通信装置は、受信したデータを通信応答端末に送信する。【選択図】図１
2011234329.tif 000002
【特許請求の範囲】
【請求項１】
１つ以上のインターフェースを備えた装置であって、次の手段を備えた通信装置、または、システム。
・インターフェースから受信した通信開始符号が示す宛先アドレスを、前記インターフェースに設定する手段
・前記通信開始符号による通信を確立し、通信終了符号を受信するか、通信切断符号を受信するまで通信する手段
・インターフェースから受信した通信開始符号による通信を確立するか、または、無視するかを管理する手段
【請求項２】
請求項１に記載の通信装置、または、システムであって、次の手段を備えたもの。
・入力されたデータを、任意の長さのデータに分割し、分割されたデータに順序を示す符号を付与した、符号付きデータを生成する手段
・前記符号付きデータを、付与された符号によって、分割前のデータに復元する手段
・符号付きデータを１つ以上のインターフェースによって送信する手段
・１つ以上のインターフェースから、符号付きデータを受信する手段
【請求項３】
請求項１に記載の通信装置、または、システムであって、次の手段を備えたもの。
・インターフェースから受信したデータの送信先となる通信装置を特定するための手段
・２台以上の通信装置が、互いに通信可能な経路を確立し、通信装置がインターフェースから受信したデータを、前記手段によって特定した通信装置へ送信する手段
【請求項４】
請求項２に記載の通信装置、または、システムであって、次の手段を備えたもの。
・インターフェースから受信したデータの送信先となる通信装置を特定するための手段
・２台以上の通信装置が、互いに通信可能な経路を確立し、通信装置がインターフェースから受信したデータを、前記手段によって特定した通信装置へ送信する手段
【請求項５】
請求項４に記載の通信装置、または、システムであって、２台以上の通信装置が、データの送信先となる通信装置を特定するための情報を、交換する手段を備えた記載の通信装置、または、システム。
【請求項６】
請求項５に記載の通信装置、または、システムであって、下記の手段を備えるもの。
・通信装置間で送信するデータを圧縮すると共に、受信するデータを伸長する手段
・通信装置間で送信するデータを暗号化すると共に、受信するデータを復号化する手段
【発明の詳細な説明】
【技術分野】
【０００１】  本発明は、広域網を経由した端末間で、あたかも閉域網の端末間であるかのように通信するための通信装置およびシステムに関する。
【背景技術】
【０００２】  近年、ネットワークインフラストラクチャの品質向上による通信帯域の拡大、クラウドコンピューティングやＳａａＳ（Ｓｏｆｔｗａｒｅ  ａｓ  ａ  Ｓｅｒｖｉｃｅ）などの普及によって、ＷＡＮ（Ｗｉｄｅ  Ａｒｅａ  Ｎｅｔｗｏｒｋ）を経由したサービスが広く利用されるようになり、拠点間での通信頻度や通信トラフィックが増加する傾向にある。また、利用されるアプリケーションも、高精度や医療画像、高画質な映像、圧縮率が低く冗長性の少ないデータが増加するなど、従来のデータ加工技術では、ＷＡＮを経由した通信での通信速度の向上は、期待できなくなっている。【０００３】  ネットワーク通信において、ＬＡＮ（Ｌｏｃａｌ  Ａｒｅａ  Ｎｅｔｗｏｒｋ）に設置された端末が、ＷＡＮなどのネットワークを経由した他拠点の端末と、あたかも閉域網として通信プロトコルの透過性を確保しながら相互に通信をおこなうには、各拠点にＶＰＮ（Ｖｉｒｔｕａｌ  Ｐｒｉｖａｔｅ  Ｎｅｔｗｏｒｋ）などのネットワークを仮想的に閉域網として利用できる手段が備わっている必要がある。【０００４】  拠点間をインターネットや公衆回線等を使用して閉域網として利用するＶＰＮ技術は、パケット単位のカプセル化手法を採用していることが多い。この手法は、構造が単純であり通信トラフィックの増加に対して、手順の並列処理、ハードウェア実装が容易になるという反面、ＷＡＮを経由してのＴＣＰプロトコルの性能改善などは行われず、ＷＡＮを閉域網としてＬＡＮのように利用するには性能面、安定面での解決が望まれている。
【発明の概要】
【発明が解決しようとする課題】
【０００５】  現在、ＶＰＮ技術では、ＬＡＮとＷＡＮに性能、品質、性質などの通信特性、および、通信プロトコルに違いがある場合において、それらの差を考慮した通信手続きを提供することが十分にできない。【０００６】  例えば、インターネットで幅広く用いられているＴＣＰ（Ｔｒａｎｓｍｉｓｓｉｏｎ  Ｃｏｎｔｒｏｌ  Ｐｒｏｔｏｃｏｌ）などのプロトコルは、ＷＡＮのような高遅延で、パケットロスの発生しやすい環境では、到達保証ためのパケット往復時間に依存する通信速度の低下や、輻輳制御による通信速度の低下によって、通信帯域が十分に確保されたネットワークでも、帯域を十分に利用することができない。【０００７】  本発明は、ネットワークを利用するユーザが、自拠点に設置された端末から、他拠点に設置された端末と通信する場合において、あたかも、自拠点に設置された端末と通信しているかのように通信することを課題とする。【０００８】  また、上記の課題の解決において問題となる、ＷＡＮなどの広帯域高遅延でパケットロスが発生しやすいネットワークにおける、ＴＣＰの到達保証のためのパケット往復時間に依存する通信速度の低下、輻輳制御による通信速度の低下を抑制することも課題とする。
【課題を解決するための手段】
【０００９】  本発明は、異なる拠点に設置された端末間の通信を、各拠点に設置した通信装置を介して行うことでこれらの問題を解決するものである。【００１０】  通信装置は、通信路を流れる通信開始符号を取得し通信開始のトリガを発する通信開始符号受信部、通信開始符号による通信の確立を制御する経路制御部、通信の開始トリガによって通信相手の宛先アドレスを仮想的に拠点装置内に作り出し、通信開始符号以降に発生するデータパケットの送受信をおこなう終端送受信部、終端した通信データを一時的に記憶するバッファ、通信装置間のデータパケットの送受信を行う拠点間送受信部を備える。【００１１】  通信を開始する端末を通信開始端末、通信に応答する端末を通信応答端末、通信開始端末と同じ拠点に設置された通信装置を開始側通信装置、通信応答端末と同じ拠点に設置された通信装置を応答側通信装置とする。【００１２】  第１の手段として、開始側通信装置は、通信開始符号受信部によって拠点内の通信開始端末から送出された通信開始符号を受信する。受信した通信開始符号が、経路制御部によって送信先通信端末が特定できる場合、終端送受信部は通信開始符号の宛先アドレスを自己のインターフェースに設定する。同時に、拠点間通送受信制御部は、応答側通信装置に、通信応答端末との通信確立要求を、応答側通信装置に送信する。【００１３】  応答側通信装置は、拠点間送受信部から通信応答端末との通信確立要求を受けて、通信応答端末との通信を確立し、通信確立応答を送信する。【００１４】  開始側通信装置は、拠点間送受信部から通信確立応答を受信し、終端送受信部に通信の開始を指示する。終端送受信部は、通信応答端末ではないにも関わらず、通信開始端末との通信を確立する。【００１５】  これによって、本来通信することができない他拠点の端末と、あたかも通信が確立したように動作する。【００１６】  開始側通信装置は、終端送受信部によって通信開始端末からデータを受信すると、拠点間通信制御部が、応答側通信装置に受信したデータを送信する。また、拠点間送受信部によって通信開始端末へのデータを受信すると、終端送受信部が通信開始端末に送信する。【００１７】  応答側通信装置は、終端送受信部によって通信応答端末からデータを受信すると、拠点間通信制御部が、送信側通信装置に受信したデータを送信する。また、拠点間送受信部によって通信応答端末へのデータを受信すると、終端送受信部が通信応答端末に送信する。【００１８】  これによって、送信側通信装置が通信応答端末ではないにも関わらず受信した、通信応答端末へのデータを、通信応答端末へと、送信する。また、応答側通信装置が通信開始端末ではないにも関わらず受信した、通信開始端末へのデータを、通信開始端末へと送信する。【００１９】  第２の手段として、開始側通信装置と応答側通信装置は、起動時に通信装置間リンクを確立する。通信装置間リンクは、広帯域高遅延なネットワークにおいても、通信帯域を最大限利用できるように最適化し、通信装置の起動直後に確立して、通信装置が停止するまで維持する。通信装置間の送受信は、通信装置間リンクを使用して通信する。【００２０】  これによって、広帯域高遅延なネットワークを経由した通信でも、通信性能の低下を抑制する。【００２１】  第３の手段として、通信装置内にバッファを用意し、通信装置間リンクを複数の経路で確立する。拠点間送受信部には、バッファに保持されたデータ列から、任意の長さの符号付きデータを生成する手段と、符号付きデータを元のデータ列に復元できる手段を備える。拠点間通信制御部は、符号付きデータを、複数の通信装置間リンクを使用して送受信する。【００２２】  これによって、１本の通信装置間リンクでは、通信速度の低下を抑制できなかったネットワークにおいても、複数の通信装置間リンクを使用することで、到達保証のためのパケット往復時間による待ち時間を減少させ、通信速度の低下を抑制することができる。また、パケットロスによって輻輳制御が発生した場合においても、輻輳制御が発生していない通信拠点間リンクによって送信することで、通信装置間の送受信を停止させることなく、パケットによる通信速度の低下を抑制する。
【発明の効果】
【００２３】  本発明は、開始側通信装置が、通信開始端末との通信を確立し、受信したデータを応答側通信装置へ送信する。データを受信した応答側通信装置は、通信応答端点にデータを送信する。これによって、本来通信することができない他拠点の端末と、他拠点の端末への通信開始符号を送信するだけで通信することを実現する。【００２４】  また、通信装置間リンクを確立し、通信装置間リンクの最適化、ならびに、多重化を行うことで、広帯域高遅延なネットワークを経由した通信で、かつ、パケットロスが発生しやすい環境においても、通信帯域を最大限利用し、通信速度の低下を抑制すること実現する。【００２５】  これによって、異なる拠点の端末が、ＬＡＮとＷＡＮの性能、品質、性質などの通信特性、および、通信プロトコルの違いを吸収し、通信プロトコルの透過性を確保しながら通信することを実現する。
【図面の簡単な説明】
【００２６】
【図１】本発明の概念図
【図２】本発明の内部構成を示す図
【図３】本発明を利用したネットワーク構成の例を示す図
【図４】本発明を利用してＴＣＰ通信を完了するまでのシーケンス図
【図５】本発明の経路制御を示す図
【図６】複数のＴＣＰセッションが本発明の通信装置を経由して通信する場合に、通信装置間を流れるデータを示す図
【発明を実施するための形態】
【００２７】  図３は、ＷＡＮを経由した２拠点間で、本発明を利用したネットワークの構成を示すものである。例えば、図３のネットワークが、企業ネットワークとすると、ＬＡＮ３１００は本社ネットワーク、ＬＡＮ３２００は支社ネットワークである。
【００２８】  ＬＡＮ３１００は、ネットワーク１９２．１６８．１．０／２４で運用されており、ＬＡＮ３２００は、ネットワーク１９２．１６８．２．０／２４で運用されている。
【００２９】  ＬＡＮ３１００には、ルータ３１０３が設置されており、ＬＡＮ側のインターフェースに１９２．１６８．１．１のＩＰアドレスが、ＷＡＮ側のインターフェースにグローバルＩＰアドレスを割り振られている。
【００３０】  ＬＡＮ３２００には、ルータ３２０３が設置されており、ＬＡＮ側のインターフェースに１９２．１６８．２．１のＩＰアドレスが、ＷＡＮ側のインターフェースにグローバルＩＰアドレスを割り振られている。
【００３１】  ＬＡＮ３１００には、通信装置３１０１が設置されており、ＩＰアドレス１９２．１６８．１．１００が割り振られている。また、通信装置が、通信装置を識別するための情報として識別子１が設定されている。
【００３２】  ＬＡＮ３２００には、通信装置３２０１が設置されており、ＩＰアドレス１９２．１６８．２．１００が割り振られている。また、通信装置が、通信装置を識別するための情報として識別子２が設定されている。
【００３３】  ＬＡＮ３１００には、端末３１０２が設置されており、ＩＰアドレス１９２．１６８．１．２００が割り振られている。また、デフォルトゲートウェイは、ルータ３１０３に設定されている。
【００３４】  ＬＡＮ３２００には、端末３２０２が設置されており、ＩＰアドレス１９２．１６８．２．２００が割り振られている。また、デフォルトゲートウェイは、ルータ３２０３に設定されている。
【００３５】  ルータ３１０３には、ネットワーク１９２．１６８．１．０／２４に所属する端末（例えば、端末３１０２）からネットワーク１９２．１６８．２．０／２４に所属する端末（例えば、端末３２０２）に送信されるデータを、通信装置３１０１へルーティングする経路が設定されている。ただし、通信装置３１０１からネットワーク１９２．１６８．２．０／２４の端末に送信されるデータは、除外する経路が設定されている。
【００３６】  ルータ３２０３には、ネットワーク１９２．１６８．２．０／２４に所属する端末（例えば、端末３２０２）からネットワーク１９２．１６８．１．０／２４に所属する端末（例えば、端末３１０２）に送信されるデータを、通信装置３２０１へルーティングする経路が設定されている。ただし、通信装置３２０１からネットワーク１９２．１６８．１．０／２４の端末に送信されるデータは、除外する経路が設定されている。
【００３７】  ルータ３２０３には、グローバルＩＰが設定されていない通信装置３２０１へ、ＷＡＮを経由した端末から通信できるように通信路が確保されている。（例えば、ＮＡＴよる）
【００３８】  このネットワーク構成では、ＬＡＮ３１００に設置した端末３１０２は、ネットワーク１９２．１６８．１．０／２４に所属する端末以外の端末と通信する場合、ルータ３１０３を経由して、応答端末との接続を確立する。ただし、通信相手となる端末がネットワーク１９２．１６８．２．０／２４に所属する端末の場合、端末３１０２が送信したデータは、ルータ３１０３を経由して、通信端末３１０２へルーティングされる。
【００３９】  同様に、ＬＡＮ３２００に設置した端末３２０２は、ネットワーク１９２．１６８．２．０／２４に所属する端末以外の端末と通信する場合、ルータ３２０３を経由して、応答端末との接続を確立する。ただし、通信相手となる端末がネットワーク１９２．１６８．１．０／２４に所属する端末の場合、端末３２０２が送信したデータは、ルータ３２０３を経由して、通信端末３２０２へルーティングされる。
【００４０】  また、通信装置３１０１が、通信装置３２０１と通信装置間リンク３００２を確立できるように、通信装置３２０１へのＷＡＮ経由した通信手段を確保している。
【００４１】  以下は、端末３１０２を通信開始端末、通信装置３１０１を開始側通信装置、端末３２０２を応答端末、通信装置３２０１を応答側通信装置とし、端末３１０２が端末３２０２とＴＣＰセッションを確立し、データを送受信する場合を、図４に従って説明する。また、図２に通信装置の内部構成を示す。
【００４２】  通信装置３１０１には、経路制御部２００３が通信装置を特定するための条件として、通信装置が受信したデータの宛先ＩＰアドレスが、ネットワーク１９２．１６８．２．０／２４宛であった場合、識別子２の通信装置３２０１に送信する条件を設定する。
【００４３】  通信装置３２０１には、経路制御部２００３が通信装置を特定するための条件として、通信装置が受信したデータの宛先ＩＰアドレスが、ネットワーク１９２．１６８．１．０／２４宛であった場合、識別子１の通信装置３１０１に送信する条件を設定する。
【００４４】  （Ｓ４００１）
通信装置３１０１、通信装置３２０１の両方の通信装置が起動している場合、通信装置３１０１は、通信装置３２０１と通信装置間リンク３００２を確立する。通信装置間リンク３００２には、ＲＦＣ１３２３に従って、広帯域高遅延のネットワークにおいても高速に通信できるように、最適化したＴＣＰセッションを使用する。
【００４５】  （Ｓ４００２）
Ｓ４００１の動作を繰り返し、通信装置３１０１は、通信装置３２０１と通信装置間リンク３００２を複数確立する。
【００４６】  （Ｓ４００３）
端末３１０２が、端末３２０２とＴＣＰセッションを確立しようとすると、通常、端末３１０２はＴＣＰの接続要求パケットを、デフォルトゲートウェイに設定されているルータ３１０３へ送信する。ルータ３１０３は、端末３１０２から送られてきた、ＴＣＰの接続要求パケットを、経路設定に従って、通信装置３１０１へとルーティングする。
【００４７】  通信端末３１０１は、通信開始符号受信部２００２によって、ＴＣＰの接続要求パケットを受信する。経路制御部２００３は、受信したＴＣＰの接続要求パケットから宛先ＩＰアドレス１９２．１６８．２．２００を参照し、通信装置を特定する条件と比較して、送信先の通信装置の識別子を特定する。特定した識別子から、送信先の通信装置３２０１を特定する。（Ｃ２１０１）
【００４８】  （Ｓ４００４）
通信開始符号受信部２００２は、終端送受信部２００４に、ＩＰアドレス１９２．１６８．２．２００を、通信装置３１０１のインターフェース２００１に、割り当てるようにを指示する。（Ｃ２１０２）
終端送受信部は、前記指示に従って、ＩＰアドレス１９２．１６８．２．２００を、通信装置３１０１のインターフェース２００１にエイリアスＩＰとして割り当てる。
【００４９】  （Ｓ４００５）
また、通信開始符号受信部２００２は、拠点間送受信部２００７に、通信装置３２０１が端末３２０２とＴＣＰセッションを確立する要求を送信するように指示する。（Ｃ２１０３）
【００５０】  （Ｓ４００６）
拠点間送信部２００７は、Ｃ２１０３を受けて、端末３２０１に、通信装置間リンク３００２を使用して、端末３２０２との通信確立要求を送信する。
【００５１】  （Ｓ４００７）
通信装置３２０１は、拠点間送受信部２００７から端末３２０２との通信確立要求を受信し、終端送受信部２００４に、端末３２０２とＴＣＰセッションを確立するように指示する。（Ｃ２１０４）
【００５２】  （Ｓ４００８）
終端送受信部２００４は、端末３２０２とＴＣＰセッションを確立する。
【００５３】  （Ｓ４００９）
終端送受信部２００４は、拠点間送受信部２００７が、通信装置３１０１に通信確立応答を送信するよう指示する。（Ｃ２１０５）
【００５４】  （Ｓ４０１０）
拠点間送受信部２００７は、通信装置間リンク３００２を使用して、通信確立応答を、通信装置３１０１に送信する。
【００５５】  （Ｓ４０１１）
通信装置３１０１は、拠点間送受信部２００７によって、通信装置３２０１からの通信確立応答を受信しする。拠点間送受信部２００７は、終端送受信部に端末３１０２との通信を確立するように指示する。（Ｃ２１０４）
【００５６】  （Ｓ４０１２）
終端送受信部２００４は、ＴＣＰの通信開始応答パケットを端末３１０１へと送信し、ＴＣＰセッションの確立を完了する。
【００５７】以上の処理によって、通信装置３１０１のインターフェース２００１には、ＩＰアドレス１９２．１６８．２．２００がエイリアスとして割り当てられ、インターフェース２００１のエイリアスを使用することで、通信装置３１０１は、端末３２０２ではないにも関わらず、端末３１０２とのＴＣＰセッションを確立することができる。これによって、端末３１０２は、端末３２０２とＴＣＰセッションを確立したようにみえる。
【００５８】  （Ｓ４０１３）
以降、端末３１０２が端末３２０２にデータを送信しようとすると、通信装置３１０１に送信することとなり、端末３１０２が端末３２０２宛に送信したデータは、通信装置３１０１が、終端送受信部２００４によって受信する。
【００５９】  （Ｓ４０１４）
通信装置３１０１は、終端送受信部２００４によって受信したデータを、通信装置内部の送信バッファ２００５に保持する。
【００６０】  （Ｓ４０１５）
拠点間送受信部２００７は、通信装置内部の送信バッファ２００５にデータが保持されている場合、送信バッファ２００５から任意の長さの符号付きデータを生成し、複数の通信装置間リンク３００２の中から、帯域の空いている通信装置間リンクを選択して、通信拠点３２０１へ符号付データを送信する。
【００６１】  （Ｓ４０１５）
通信拠点３２０１は、拠点間送受信部２００７によって、通信装置間リンク３００２からデータを受信する。
【００６２】  （Ｓ４０１６）
拠点間送受信部２００７は、符号付きデータの情報に従って、データを復元し受信バッファ２００６に保持する。
【００６３】  （Ｓ４０１７）
終端送受信部２００４は、受信バッファ２００６にデータが保持されている場合、端末３２０２にデータを送信する。
【００６４】  （Ｓ４０１７）
端末３２０２が端末３１０２にデータを送信しようとすると、通信装置３２０１に送信することとなり、端末３２０２が端末３１０２宛に送信したデータは、通信装置３２０１が、終端送受信部２００４によって受信する。
【００６５】  （Ｓ４０１６）
通信装置３２０１は、終端送受信部２００４によって受信したデータを、通信装置内部の送信バッファ２００５に保持する。
【００６６】  （Ｓ４０１５）
拠点間送受信部２００７は、通信装置内部の送信バッファ２００５にデータが保持されている場合、送信バッファ２００５から任意の長さの符号付きデータを生成し、複数の通信装置間リンク３００２の中から、帯域の空いている通信装置間リンクを選択して、通信拠点３１０１へ符号付データを送信する。
【００６７】  （Ｓ４０１５）
通信拠点３１０１は、拠点間送受信部２００７によって、通信装置間リンク３００２からデータを受信する。
【００６８】  （Ｓ４０１４）
拠点間送受信部２００７は、符号付きデータの情報に従って、データを復元し受信バッファ２００６に保持する。
【００６９】  （Ｓ４０１３）
終端送受信部２００４は、受信バッファ２００６にデータが保持されている場合、端末３２０２にデータを送信する。
【００７０】  前記の処理を端末３１０２、または、端末３２０２が、ＴＣＰセッションの終了、または、中断パケットを送信するまで継続することで、端末３１０２は、通信装置３１０１にデータを送信しているにも関わらず、端末３２０２とデータを送受信する。また、通信装置３１０１と通信装置３２０１間のデータの送受信を、符号付きデータを生成して、通信装置間リンク３００２を使用して送信することで、広帯域高遅延のネットワークでの通信速度の低下を抑制している。
【００７１】以下は、端末３１０２がＴＣＰセッションを終了する場合について説明する。
【００７２】  （Ｓ４０１８）
端末３１０２が、ＴＣＰセッションの通信終了パケットを送信すると、通信装置３１０１は、終端送受信部２００４によって、通信終了パケットを受信する。
【００７３】  （Ｓ４０１９）
終端送受信部２００４は、拠点間送受信部２００７に、通信装置３２０１が端末３２０２との通信を終了する要求を送信するように指示する。（Ｃ２１０５）
【００７４】  （Ｓ４０２０）
拠点間送受信部２００７は、通信装置３２０１に、通信装置３２０１と端末３２０２との通信終了要求を、通信装置間リンク３００２によって送信する。
【００７５】  （Ｓ４０２０）
通信装置３２０１は、拠点間送受信部２００７から通信終了要求を受信する。
【００７６】  （Ｓ４０２１）
拠点間送受信部２００７は、終端送受信部２００４に、端末３２０２とのＴＣＰセッションを終了するように指示する。（Ｃ２１０４）
【００７７】  （Ｓ４０２２）
終端送受信部２００４は、端末３２０２とのＴＣＰセッションを終了する。
【００７８】  （Ｓ４０２３）
終端送受信部２００４は、拠点間送受信部２００７に、通信終了応答を送信するように指示する。（Ｃ２１０５）
【００７９】  （Ｓ４０２４）
拠点間送受信部２００７は、通信装置３１０１に通信装置間リンク３００２によって、通信終了応答を送信する。
【００８０】  （Ｓ４０２４）
通信装置３１０１は、拠点間送受信部２００７によって、通信終了応答を受信する。
【００８１】  （Ｓ４０２５）
拠点間送受信部２００７は、終端送受信部２００４に通信が終了したことを通知し、終端送受信部２００４は、端末３２０２との通信情報の破棄をする。
【００８２】  以下では、１台の通信装置が複数の拠点に設置された通信装置と通信する場合について説明する。
【００８３】  図５は、ＷＡＮを経由した３拠点間で、本発明を利用したネットワークの構成を示すものである。例えば、図５のネットワークを、企業ネットワークとすると、ＬＡＮ５１００は企業ネットワークにおける本社ネットワーク、ＬＡＮ５２００、ＬＡＮ５３００は、支社ネットワークとする。
【００８４】ＬＡＮ５１００は、ネットワーク１９２．１６８．１．０／２４で、ＬＡＮ５２００は、ネットワーク１９２．１６８．２．０／２４で、ＬＡＮ５３００は、ネットワーク１９２．１６８．３．０／２４で運用されている。
【００８５】ＬＡＮ５１００には、通信装置５１０１が設置されており、ＩＰアドレス１９２．１６８．１．１００が割り振られている。また、通信装置の識別符号として識別子１が設定されており、通信装置を特定する条件として、経路制御条件５１０３が設定されている。
【００８６】ＬＡＮ５２００には、通信装置５２０１が設置されており、されており、ＩＰアドレス１９２．１６８．２．１００が割り振られている。また、通信装置の識別符号として識別子１が設定されており、通信装置を特定する条件として、経路制御条件５２０３が設定されている。
【００８７】ＬＡＮ５３００には、通信装置５３０１が設置されており、されており、ＩＰアドレス１９２．１６８．３．１００が割り振られている。また、通信装置の識別符号として識別子１が設定されており、通信装置を特定する条件として、経路制御条件５３０３が設定されている。
【００８８】ＬＡＮ５１００には、端末５１０２が設置されており、ＩＰアドレス１９２．１６８．１．２００が割り振られている。
【００８９】  端末５１０２が端末５２０２とＴＣＰセッションの確立を要求すると、通信装置５１０１は、端末５１０２からＴＣＰの通信開始パケットを受信し、通信開始パケットが示すＩＰアドレス１９２．１６８．２．２００と、経路制御情報５１０３によって、識別子２を特定する。通信装置５１０１は、通信装置間リンクが確立されている通信装置の中から、識別子２に該当する通信装置５２０１に、通信開始パケットを送信する。
【００９０】  同様に、端末５１０２が端末５３０２とＴＣＰセッションの確立を要求すると、通信装置５１０１は、端末５１０２からＴＣＰの通信開始パケットを受信し、通信開始パケットが示すＩＰアドレス１９２．１６８．３．２００と、経路制御情報５１０３によって、識別子３を特定する。通信装置５１０１は、通信装置間リンクが確立されている通信装置の中から、識別子３に該当する通信装置５３０１に、通信開始パケットを送信する。
【００９１】  以下は、通信装置を経由して複数のＴＣＰセッションが確立された場合に、通信装置間を流れるデータについて説明する。
【００９２】  図６は、ＷＡＮを経由した２拠点間で、本発明を利用したネットワークを構成し、複数のＴＣＰセッションが通信装置を経由して通信した場合に、通信装置間リンク３００２を流れるデータを示すものである。
【００９３】  複数の端末が通信装置を経由してＴＣＰ通信を行う場合、各ＴＣＰセッションのデータは、通信装置６１０３と通信装置６２０３の間では、符号付きデータに変換されて、帯域の空いている通信装置間リンク３００２を使用して送受信される。つまり、１本の通信装置間リンクは、複数のＴＣＰセッションのデータを、混成して送受信する。
【符号の説明】
【００９４】２００１  インターフェース
２００２  通信開始符号受信部
２００３  経路制御部
２００４  終端送受信部
２００５  送信バッファ
２００６  受信バッファ
２００７  拠点間送受信部
３００２  通信装置間リンク
３１００、３２００  ＬＡＮ
３１０１、３２０１  通信装置
３１０２、３２０２  端末
３１０３、３２０３  ルータ
５１００、５２０１、５３０１  ＬＡＮ
５１０１、５２０２、５３０２  通信装置
５１０２、５２０３、５３０３  端末
５１０３、５２０４、５３０４  経路制御条件
６１００、６２００  ＬＡＮ
６１０１、６２０１  通信装置
６１０２、６１０３、６１０４、６２０２、６２０３  端末
【図１】
2011234329.tif 000003
【図２】
2011234329.tif 000004
【図３】
2011234329.tif 000005
【図４】
2011234329.tif 000006
【図５】
2011234329.tif 000007
【図６】
2011234329.tif 000008